(57)【特許請求の範囲】
【請求項１】
第１の録画再生装置を用いて、第１の記録媒体に録画されている第１の動画の中の見たい場面の録画実時刻を記録したブックマークを作成し、作成した該ブックマークを、前記第１の録画再生装置と同一の絶対時刻に基づいて録画実時刻を刻む、第２の録画再生装置に渡した後、
該第２の録画再生装置にて、
第２の記録媒体に録画されている動画のうち、前記第１の記録媒体に録画されていると同じ前記第１の動画を、前記第１の録画再生装置から渡された前記ブックマークを用いて再生する際、
該ブックマークに関連付けられた前記録画実時刻と、
前記第２の記録媒体に録画実時刻及び位置情報が記録されている、前記第１の動画の中の複数の基準瞬間場面のうち、当該見たい場面の録画実時刻に最も近い基準瞬間場面の録画実時刻及び位置情報とに基づいて、
前記第２の記録媒体における前記見たい場面の物理アドレスを求めることで、前記第１の動画の中の前記見たい場面にアクセス又はジャンプすることを特徴とする録画再生方法。
【請求項２】
前記位置情報として、映像と音声の同期のために設けられたタイムコードを用い、前記見たい場面は、前記タイムコードに前記時間を加算することにより、特定されてアクセスされることを特徴とする請求項１記載の録画再生方法。
【請求項３】
前記位置情報として、累積ビット数を用い、前記見たい場面は、前記時間にビットレートを乗算した値を、前記累積ビット数に加算することにより、特定されてアクセスされることを特徴とする請求項１記載の録画再生方法。
【請求項４】
録画された動画を再生する際、ブックマークを用いて特定の見たい場面にアクセス又はジャンプする録画再生装置であって、
前記動画を録画する際、当該動画を構成する複数の瞬間場面のうち、互いに所定の時刻を隔てる複数の基準瞬間場面のそれぞれの録画実時刻と位置情報とを記憶する記憶手段と、前記見たい場面の録画実時刻を前記ブックマークに関連付けて記憶するブックマーク記憶部と、前記見たい場面にアクセスするアクセス手段とを備え、該アクセス手段は、前記見たい場面の録画実時刻と、当該見たい場面の録画実時刻に最も近い前記基準瞬間場面の録画実時刻及び位置情報とに基づいて、前記見たい場面にアクセス又はジャンプして再生することを特徴とする録画再生装置。
【請求項５】
前記位置情報として、映像と音声の同期のために設けられたタイムコードを用い、前記アクセス手段は、前記タイムコードに前記時間を加算することにより、前記見たい場面を特定することを特徴とする請求項４記載の録画再生装置。
【請求項６】
前記位置情報として、累積ビット数を用い、前記アクセス手段は、前記時間にビットレートを乗算した値を、前記累積ビット数に加算することにより、前記見たい場面を特定することを特徴とする請求項４記載の録画再生装置。
【発明の詳細な説明】
【技術分野】
【０００１】
この発明は、テレビ信号等を一時的に蓄えながら任意の時間だけタイムシフトして再生する録画再生方法及び録画再生装置に係り、詳しくは、ユーザが、ブックマークによって見たい場面にジャンプして再生できると共に、このブックマークをこの種の他のタイムシフト再生装置に入力することにより、他のタイムシフト再生装置においても同一の上記見たい場面にジャンプして再生できるようにした録画再生方法及び録画再生装置に関する。
【背景技術】
【０００２】
この種の録画再生装置（以下、タイムシフト再生装置ともいう）としては、特開平７−２５０３０５号公報に開示の装置が知られている。図１３は、この種のタイムシフト再生装置のブロック図を示す。同図において、アンテナ端子１００から入力された映像信号は、チューナ１０１においてアナログ映像信号とアナログ音声信号に変換された後、選択回路１０２を介して表示装置１０３に表示される。また、同時にチューナ１０１からの映像信号は圧縮回路１０４に供給されて、情報量の圧縮が行われる。このように圧縮された映像信号は、記憶装置１０５に供給される。記憶装置１０５に一時記憶された映像信号は、ユーザの要求に従って、タイムシフトさせて読み出され、伸張回路１０６において伸張された後、選択回路１０２を経て、表示装置１０３に表示される。
【０００３】
また、この種のタイムシフト再生装置の付加機能として、本に栞を挟むような感覚で、所定の映像、音声の位置をブックマークによって記憶すると共に、タイムシフトして、その位置に直接ジャンプし、情報の再生を開始できるような機能が知られている。
【発明の開示】
【発明が解決しようとする課題】
【０００４】
ところで、従来のタイムシフト再生装置においては、記録媒体の管理を、各装置に固有の物理アドレスによって行っている。このため、同一の情報を各々の装置に記録したとしても、記録された情報の物理アドレスは、通常、各々の装置によって異なる。即ち、仮に、一方の装置において、ある情報が、物理アドレスとして１００番地に記憶されているとしても、他方の装置の１００番地には、通常、まったく別の情報が記憶されている。
したがって、記録媒体上におけるある映像の位置をブックマークとして設定しても、このブックマークが各装置固有の物理アドレスに関連付けされたものである場合には、この種のブックマークは、他のタイムシフト再生装置で利用できなかった。
このため、この種の再生装置を所有するユーザが、見たい場面に該当するブックマークを、他の再生装置を所有する別のユーザに、この見たい場面を紹介する手段として利用することはできなかった。
【０００５】
この発明は、上述の実情に鑑みて成されたものであって、ユーザは、他人から与えられたブックマーク情報を入力することにより、この他人と同様の録画情報を再生できるようにした録画再生方法及び録画再生装置を提供することを目的としている。
【課題を解決するための手段】
【０００６】
上記課題を解決するために、請求項１記載の発明は、録画再生方法に係り、第１の録画再生装置を用いて、第１の記録媒体に録画されている第１の動画の中の見たい場面の録画実時刻を記録したブックマークを作成し、作成した該ブックマークを、前記第１の録画再生装置と同一の絶対時刻に基づいて録画実時刻を刻む、第２の録画再生装置に渡した後、該第２の録画再生装置にて、第２の記録媒体に録画されている動画のうち、前記第１の記録媒体に録画されていると同じ前記第１の動画を、前記第１の録画再生装置から渡された前記ブックマークを用いて再生する際、該ブックマークに関連付けられた前記録画実時刻と、前記第２の記録媒体に録画実時刻及び位置情報が記録されている、前記第１の動画の中の複数の基準瞬間場面のうち、当該見たい場面の録画実時刻に最も近い基準瞬間場面の録画実時刻及び位置情報とに基づいて、前記第２の記録媒体における前記見たい場面の物理アドレスを求めることで、前記第１の動画の中の前記見たい場面にアクセス又はジャンプすることを特徴としている。
【０００７】
請求項２に記載の発明は、請求項１記載の録画再生方法に係り、前記位置情報として、映像と音声の同期のために設けられたタイムコードを用い、前記見たい場面は、前記タイムコードに前記時間を加算することにより、特定されてアクセスされることを特徴としている。
【０００８】
請求項３に記載の発明は、請求項１記載の録画再生方法に係り、前記位置情報として、累積ビット数を用い、前記見たい場面は、前記時間にビットレートを乗算した値を、前記累積ビット数に加算することにより、特定されてアクセスされることを特徴としている。
【０００９】
請求項４に記載の発明は、録画された動画を再生する際、ブックマークを用いて特定の見たい場面にアクセス又はジャンプする録画再生装置に係り、前記動画を録画する際、当該動画を構成する複数の瞬間場面のうち、互いに所定の時刻を隔てる複数の基準瞬間場面のそれぞれの録画実時刻と位置情報とを記憶する記憶手段と、前記見たい場面の録画実時刻を前記ブックマークに関連付けて記憶するブックマーク記憶部と、前記見たい場面にアクセスするアクセス手段とを備え、該アクセス手段は、前記見たい場面の録画実時刻と、当該見たい場面の録画実時刻に最も近い前記基準瞬間場面の録画実時刻及び位置情報とに基づいて、前記見たい場面にアクセス又はジャンプして再生することを特徴としている。
【００１０】
請求項５に記載の発明は、請求項４記載の録画再生装置に係り、前記位置情報として、映像と音声の同期のために設けられたタイムコードを用い、前記アクセス手段は、前記タイムコードに前記時間を加算することにより、前記見たい場面を特定することを特徴としている。
【００１１】
請求項６に記載の発明は、請求項４記載の録画再生装置に係り、前記位置情報として、累積ビット数を用い、前記アクセス手段は、前記時間にビットレートを乗算した値を、前記累積ビット数に加算することにより、前記見たい場面を特定することを特徴としている。
【発明の効果】
【００１２】
以上説明したように、この発明の構成によれば、見たい場面の録画実時刻（絶対時刻）をブックマークに関連付けたため、このブックマークは、絶対時刻として管理される。したがって、ブックマークは、このブックマークを作成した装置以外の他の装置においても用いることができる。このため、一方の視聴者が作成したブックマークを他方の視聴者に伝えることにより、一方の視聴者が見たい場面を、他方の視聴者も視聴することができ、一方の視聴者が見たい場面を、他方の視聴者と共有することができる。
【発明を実施するための最良の形態】
【００１３】
以下、図面を参照して、この発明の実施の形態について説明する。説明は、実施例を用いて具体的に行う。
【実施例１】
【００１４】
図１は、この発明のタイムシフト再生装置の構成を示すブロック図、図２は、同実施例に用いられる記録情報の構成を示す図、図３は、同実施例に用いられるタイムコードと、物理アドレスとの関係を説明する図、図４は、同実施例に用いられる圧縮装置の構成を示すブロック図、図５は、ブックマークの移転を説明する図である。
【００１５】
この実施例のタイムシフト再生装置１は、図１に示すように、テレビ信号を受信するアンテナ２と、このテレビ信号を、アナログ映像信号及びアナログ音声信号に復調するチューナ３と、これらアナログ映像信号及びアナログ音声信号をディジタル信号に変換するＡ/Ｄ変換装置４と、計時部５と、上記Ａ/Ｄ変換装置４と上記計時部５の出力信号を圧縮する圧縮装置６と、該圧縮装置６の出力を記憶する記憶装置７と、該記憶装置７の出力を伸張する伸張装置８と、ブックマーク管理部９と、アクセス制御部１０と、上記伸張装置８の出力をＤ/Ａ変換するＤ/Ａ変換装置１１と、該Ｄ/Ａ変換装置１１から出力されたアナログ信号を出力する出力装置１２とから構成されている。
【００１６】
上記計時部５は、動画を録画する際、当該録画中の少なくともある瞬間場面の録画実時刻（絶対時刻）、たとえば、上記圧縮装置６が圧縮処理を開始した時刻（録画開始時刻）を計時して出力する。計時部５によって計時された上記録画実時刻は、上記記憶装置７に記憶される。ここで、上記絶対時刻とは、その時の実際の時刻であり、上記計時部５において、例えば、以下の３種類の時刻によって計時する。
【００１７】
（Ａ）  ローカルタイムとしてタイムゾーン（時刻帯）が定められているもの。
日本標準時（JST）はその一例。
【００１８】
（Ｂ）  世界で標準となる時刻。
以前では、グリニッジ標準時（GMT）が使われていたが、現在では、協定世界時（UTC）が使われている。
【００１９】
（Ｃ）インターネットタイムのような、時差のない世界共通の時刻。
インターネットタイムは、インターネット上において、時差のない世界共通の時刻として使われている。
【００２０】
上記ブックマーク管理部９は、ブックマーク作成部１３と、ブックマーク記憶部１４とから構成されている。上記ブックマーク作成部１３は、ブックマークを作成する。
【００２１】
ここで、ブックマークとは、視聴者が選択した、見たい場面等の、任意の映像の位置を特定する、所謂、栞として機能する。この実施例においては、上記見たい場面は、この見たい場面が録画された時の録画実時刻によって特定される。即ち、この実施例において、上記ブックマークは、見たい場面の録画実時刻であり、再生時においては、このブックマークを頼りに、この見たい場面にジャンプして再生することができる。このため、上記ブックマーク作成部は、上記ブックマークを作成するため、下式（１）を実行する。
【００２２】
ＴＮ＝Ｔ０＋（ＳＣＲＮ−ＳＣＲ０）                （１）
ここで、Ｔ０は、図２に示すように、映像情報Ｖ、音声情報Ａのディジタル圧縮符号の先頭に設けられ、符号化を開始する録画開始時刻を示す。
ＴＮは、視聴者の見たい場面が録画開始された時の録画実時刻を示す。また、ＳＣＲ（System    Clock  Reference）は、上記映像情報Ｖと音声情報Ａの同期再生を行う目的で設けられたタイムコードであり、このタイムコードは、記録されている情報の位置を特定する位置情報としての機能を有する。
【００２３】
特に、ＳＣＲ０は上記録画開始時刻Ｔ０直後のタイムコードであり、また、ＳＣＲＮは、上記見たい場面に該当するタイムコードである。上記ブックマーク作成部１３は、ユーザが操作スイッチ（図示せず）を操作したときに、上記演算を開始することにより、上記見たい場面の上記ブックマークに該当する上記録画実時刻を作成する。すなわち、上記見たい場面の録画実時刻ＴＮは、上記（１）式を演算することにより、求めることができる。上記ブックマーク記憶部１４は、上記ブックマーク作成部１３が作成したブックマークを記憶する。
【００２４】
上記アクセス制御部１０は、上記ブックマークに基づき上記見たい場面にジャンプするために、この見たい場面のアドレスを検出する。このアクセス制御部１０は、上記見たい場面に該当する上記タイムコードＳＣＲＮを作成するため、下式（２）を演算する演算部１５と、このタイムコードを上記見たい場面の物理アドレスに変換する物理アドレス変換部１６とから構成される。
ＳＣＲＮ＝ＳＣＲ０＋（ＴＮ−Ｔ０）        （２）
上記式（２）は、上記式（１）を変換したものである。
上記物理アドレス変換部１６は、以下のようにして、上記タイムコードＳＣＲに該当する物理アドレスを求める。先ず、図３に示すように、一般に、録画番組はファイル１７として管理されている。そして、各ファイル１７のアドレスは、ファイルの先頭からの相対アドレス（以下ファイルポインタＰ）で管理されている。ファイル１７は、あるブロック１８単位毎に、記録装置１９のランダムな空き領域に記録される。そして、上記ファイルポインタＰは、一定の規則性に従って物理アドレスに変換される。又、上記タイムコードＳＣＲは、上記ファイル１７の先頭、すなわちファイルポインタＰが０に該当する物理アドレスから順次読み出し、解析を行うことにより検索できる。従って、上記物理アドレス変換部１６は、上記タイムコードＳＣＲＮの検索を、ファイル１７の先頭、すなわちファイルポインタＰが０に相当する物理アドレスから順次読み出し、解析することにより、行う。これにより、上記タイムコードＳＣＲＮの該当する物理アドレスを知ることができる。
かくして、上記伸張装置８は、このブックマークによって特定された場面、所謂、見たい場面にジャンプして、被圧縮情報の伸張処理を実行することになる。
【００２５】
図１に示す、上記圧縮装置６は、上記Ａ/Ｄ変換装置４が出力した上記ディジタル映像信号、ディジタル音声信号及び上記時計が出力した絶対時刻の情報量の圧縮を行い、かつ、この絶対時刻をこれらディジタル映像信号ディジタル音声信号に合成、或いは、この絶対時刻とこれら信号とをインデックス化した別データとして出力する。圧縮装置６における圧縮アルゴリズムとしては、国際標準であるＭＰＥＧ方式等が該当する。上記伸張装置８は、上記記憶装置７に記録されているディジタル圧縮符号を読み出して、伸張処理する。この伸張装置８は、上記圧縮装置６の圧縮アルゴリズムに対応した伸張手段を有している。また、上記記憶装置７の記録媒体としては、例えば、ハードディスク装置、光ディスク装置、メモリ等が該当する。
【００２６】
次に、図４を参照して、上記圧縮装置６の構成について説明する。
圧縮装置６は、映像符号回路２０と、音声符号回路２１と、絶対時刻符号回路２２と、合成回路２３とから構成されている。上記映像符号回路２０は、ディジタル形式の映像信号を圧縮処理する回路であり、例えば、ＭＰＥＧアルゴリズムに従って、圧縮処理を行う。上記音声符号回路２１は、ディジタル形式の音声信号を圧縮処理する回路であり、例えば、映像信号と同じくＭＰＥＧアルゴリズムに従って圧縮処理を行う。絶対時刻符号回路２２は、絶対時刻を計時する計時部５から入力した絶対時刻を符号化する回路である。合成回路２３は、ディジタル圧縮映像符号とディジタル圧縮音声符号と絶対時刻符号を合成する回路であり、例えば、映像信号と同じくＭＰＥＧアルゴリズムの多重方法に従って合成処理を行う。
【００２７】
次に、図１を参照してこの実施例の動作について説明する。
テレビ信号は、アンテナ２で受信された後、チューナ３において、ＮＴＳＣ信号等のアナログ映像信号とアナログ音声信号に復調される。そして、視聴者は、テレビ画面を視聴しながら、再度視聴するかも知れないとして、任意のテレビ番組を、番組の最初、又は途中から録画する。この場合、テレビ信号は、Ａ/Ｄ変換装置４において、ディジタル形式の映像信号及び音声信号に変換された後、圧縮装置６において、情報量の圧縮が行われる。この時、圧縮装置６には、計時部５から上記圧縮処理の開始時刻、すなわち、録画開始時刻が入力される。この録画開始時刻は、圧縮装置６において圧縮処理される。圧縮装置６が出力したディジタル圧縮符号は、記憶装置７に記録される。そして、視聴者が、タイムシフトして、再度視聴することを特に希望する場面、所謂、見たい場面に至った際には、ブックマーク作成部１３の操作スイッチを操作する。すると、ブックマーク作成部１３は、この見たい場面が録画される時の録画実時刻をブックマークとして作成し、かつ、このブックマークをブックマーク記憶部１４に記録する。
【００２８】
その後、上述のように録画された画像を、ユーザがタイムシフトして再生しようとする場合、上記ブックマークに該当する、見たい場面にジャンプして再生する。
この際、記憶装置７から読み出されたディジタル圧縮符号は、伸張装置８において伸張処理された後、Ｄ/Ａ変換装置１１においてアナログ映像信号及びアナログ音声信号に変換された後、出力装置１２を経て再生される。
上述の説明は、同一のタイムシフト再生装置１によってブックマークを求め、かつ、このブックマークに該当する、見たい場面にジャンプして再生する場合について説明した。次に、ブックマークを求めたタイムシフト再生装置１とは別のこの種タイムシフト再生装置１によって、ブックマークに該当する、見たい場面にジャンプして再生する場合について説明する。
【００２９】
先ず、図５に示すように、一方の視聴者は自己のタイムシフト再生装置１を用いて、ある番組を視聴すると同時に、この同じ番組を録画開始時刻αから録画しているとする。他方の視聴者も、例えば、録画予約によって、上記番組をこの種の別個のタイムシフト再生装置１を用いて、録画開始時刻βから録画を開始しているとする。この時、両タイムシフト再生装置１は、共に、同じ番組を録画しているために、図中、矢印で示すように、これら両タイムシフト再生装置１には、同じ絶対時刻ｔが流れている。そして、一方の視聴者が、タイムシフトして、再度見たくなると思われる場面に至ったとき、この視聴者は、ブックマーク作成部１３の操作スイッチを操作する。すると、このブックマーク作成部１３は、その時の録画実時刻ＴＮをブックマークとして作成すると共に、ブックマーク記憶部１４はこの録画実時刻ＴＮを記録する。そして、この一方の視聴者は、他方の視聴者に上記見たい場面を見るように薦めるために上記ブックマークとしての録画実時刻ＴＮを伝える。このブックマークＴＮは、例えば、インターネットを介して伝えることができる。その後、他方の視聴者は、自己のタイムシフト再生装置１のブックマーク記憶部１４に前記ブックマークを入力する。すると、アクセス制御部１０は、上式（２）に基づき、見たい場面に該当するタイムコードを求めると共に、この見たい場面にジャンプして再生
が開始される。
このようにして、他方の視聴者は、一方の視聴者と同一の番組を視聴することができる。
なお、上述のように、ブックマークを移転させる場合、両方の装置には、上述のように、同一の絶対時刻ｔが流れている必要がある。従って、上記両方の装置が日本国内に置かれている場合には、上記絶対時刻ｔは、日本標準時（JST）が該当する。しかし、たとえば、オリンピック放送のように、世界各国で放送されるような場合には、上記絶対時刻ｔとして、各国間の時差を考慮する必要のない、上述した協定世界時（UTC）、あるいは、インターネット上で用いられるインターネットタイムを用いることが必要である。
また、この実施例では、タイムコードとして、ＳＣＲを用いた場合について説明したが、タイムコードとしてＰＴＳ（Presentation  Time  Stamp）を用いても同様の効果を発揮する。
【実施例２】
【００３０】
次に、この発明の第２実施例について説明する。
図６は、この第２実施例の動作を説明する説明図である。
上述した第１実施例と比較してこの実施例の特徴は、基準点としての録画開始点０、点Ｓ，Ｍ...の録画実時刻を予め求めて記憶しておき、任意の点のブックマークは、最も近い基準点を基準として求められる点にある。
すなわち、この実施例においては、図６に示すように、定期的に、例えば、１時間毎に、上記録画実時刻を求め、映像情報、音声情報と共に、記憶装置に記憶しておく。図６には、録画開始点０、点Ｓ、点Ｍにおける録画実時刻T０、TＳ、TＭが記載されている。上記点０，点Ｓ及び点Ｍは、上述のように、任意の点、例えば、点Ｎのブックマーク及びタイムコードを求める際の基準点となる。基準となる所定の画面領域として、上記点０，点Ｓ及び点Ｍを選択したが、他の点を選択することも可能である。
この実施例のブックマーク管理部のブックマーク作成部は、Ｎ点の録画実時刻、すなわち、ブックマークＴＮを作成する場合、下式を演算する。
ＴＮ＝ＴＭ＋〔SCRＮ−SCRＭ〕      （３）
ここで、ＴＭは、上記基準点Ｍにおける録画実時刻である。なお、上記基準点Ｍは、図６に示すように、点Ｎに最も近い基準点とする。また、SCRＮは、上記Ｎ点のタイムコードを示し、SCRＭは、上記Ｍ点のタイムコードを示す。上記ＴＭ、SCRＭは、上述した第１実施例における式（１）、（２）のＮをＭに置き換えた関係にある。
上記ブックマーク管理部のブックマーク記憶部は、上記ブックマークＴＮを記憶する。
【００３１】
アクセス制御部は、上記ブックマークに基づき、タイムシフトして、見たい場面にジャンプするために、この見たい場面のアドレスを検出する。このアクセス制御部の演算部は、上記見たい場面に該当する上記タイムコードを作成するため、上記式（３）を変換した下式（４）を演算することにより、Ｎ点のタイムコードを求める。
SCRＮ＝SCRＭ＋（ＴＮ−ＴＭ）          (４)
なお、アクセス制御部の物理アドレス変換部が上記タイムコードから物理アドレスをもとめる動作については、上述した第１実施例と同様であるため、その説明は省略する。
【００３２】
次に、図６を参照して、この例の動作について説明する。
先ず、録画時において、基準点０，Ｓ、Ｍの録画時刻は、図６に示しように、映像情報等と共に、記憶される。
この状態において、点Ｎにおけるブックマークを作成する場合、ブックマーク作成部は、上記式（３）を演算する。このブックマークは、ブックマーク記憶部に記憶される。
その後、ユーザが、録画された画像をタイムシフトして再生する場合、上記ブックマークに該当する、見たい場面にジャンプして再生する。この際、アクセス制御部は、上記ブックマークに該当するタイムコードSCRＮを求め、かつ、このタイムコードSCRＮに該当する物理アドレスを求めることにより、上記見たい場面を検索する。そして、この見たい場面以降の画像情報は、伸張装置において伸張処理された後、Ｄ/Ａ変換装置においてアナログ映像信号及びアナログ音声信号に変換された後、出力装置を経て再生される。また、一方の視聴者が作成したブックマークＴＮを他方の視聴者に伝えることにより、一方の視聴者が見たい場面を、他方の視聴者も視聴することができ、一方の視聴者が見たい場面を、他方の視聴者と共有することができる点については第１実施例と同様のため、その説明については省略する。
この実施例においては、第１実施例と比較して、基準となる複数の点の録画時間を予め求めて記憶しておき、任意の点のブックマークは、最も近い基準点を基準として求められるため、ブックマークを求める際の誤差を可及的に減らすことができる。
【実施例３】
【００３３】
図７は、この発明の第３実施例の構成を示すブロック図、図８は、同実施例における、累積ビット数と録画実時刻との関係を示す図である。
この実施例のタイムシフト再生装置３０は、第１実施例のタイムシフト再生装置１に比較して、カウンタ回路３１、絶対時刻符号回路３２、及びインデックス作成部３３を備える一方、ブックマーク管理部３４及びアクセス制御部３５は、第１実施例のものとは異なる。なお、第１実施例と同一構成要素には、同一符号を付して、その説明は省略する。
【００３４】
上記カウンタ回路３１は、例えば、図８に示すように、録画開始点０から任意の点、たとえば点Nまでの記録情報の累積データ量、即ち、累積ビット数を計数して、出力する。この累積ビット数は、記録されている情報の位置を特定する位置情報としての機能を有する。
また、上記絶対時刻符号回路３２は、計時部５が出力した絶対時刻を符号化して出力する。
【００３５】
上記インデックス作成部３３は、上記録画開始点０から上記点Ｎまでの累積ビット数DＮとこの点Nにおける録画実時刻ＴＮとをインデックス化して、図８に示すように、インデックス情報Ｒとして出力する。
上記録画実時刻ＴＮと上記録画開始点０の録画実時刻Ｔ０と上記累積ビット数ＤＮとは、下式（５）の関係を有するため、上記ブックマーク管理部３４のブックマーク作成部３６は、上記Ｎ点の録画実時刻即ち、ブックマークＴＮを作成する場合、下式（５）を演算する。
ＴＮ＝Ｔ０＋ＤＮ/BitRate      （５）
ここで、BitRateとは、情報の送信速度を示す。
上記ブックマーク管理部３４のブックマーク記憶部３７は、上記ブックマークＴＮを記憶する。
上記アクセス制御部３５は、上記ブックマークＴＮに基づき、タイムシフトして、見たい場面にジャンプするために、この見たい場面のアドレスを検出する。このアクセス制御部３５の演算部３８は、再生時に、上記見たい場面に該当する上記累積ビット数を求めるため、上記式（５）を変換した下式（６）を演算することにより、Ｎ点の累積ビット数ＤＮを求める。
ＤＮ＝＋（ＴＮ−Ｔ０）×BitRate        (６)
上記アクセス制御部３５の物理アドレス変換部３９は、以下のようにして、上記累積ビット数を物理アドレスに変換する。すなわち、Ｎ点の累積データＤＮは、第１実施例において述べたファイルポインタＰに一致する。ところで、第１実施例において述べたように、ファイルポインタＰと物理アドレスは、一定の関係を有するため、上記ファイルポインタＰに相当する物理アドレスを検索することにより、上記Ｎ点の物理アドレスは特定され、この物理アドレスにジャンプすることにより、見たい場面を再生できる。
【００３６】
次に、図８を参照して、この実施例の動作について説明する。
図中、Ｎ点が見たい場面の録画開始点とする。この場合、Ｎ点におけるブックマークＴＮを作成するため、ブックマーク作成部３６は上記式（５）を演算する。このブックマークＴＮは、ブックマーク記憶部３７に記憶される。
この後、ユーザが、録画された画像をタイムシフトして再生する場合、上記ブックマークＴＮに該当する、見たい場面にジャンプして再生する。この際、アクセス制御部３５は、上記ブックマークＴＮに該当する累積ビット数ＤＮを求め、かつ、この累積ビット数ＤＮに該当する物理アドレスを求めることにより、上記見たい場面を検索する。そして、この見たい場面以降の画像情報は、伸張装置８において伸張処理された後、Ｄ/Ａ変換装置１１においてアナログ映像信号及びアナログ音声信号に変換され、出力装置１２を経て再生される。なお、一方の視聴者が作成したブックマークＴＮを他方の視聴者に伝えることにより、一方の視聴者が見たい場面を、他方の視聴者も視聴することができ、一方の視聴者が見たい場面を、他方の視聴者と共有することができる点については第１実施例と同様のため、その説明については省略する。
【実施例４】
【００３７】
次に、この発明の第４実施例について説明する。
図９は、この第４実施例の動作を説明する説明図である。
上述した第３実施例と比較してこの実施例の特徴は、録画開始点０から基準点としての複数の点Ｓ，Ｍ、...までの累積ビット数と、その各基準点の録画実時刻を予め求めてインデックス情報Ｒとして記憶しておき、任意の点のブックマークは、最も近い基準点を基準として求められる点にある。
すなわち、この実施例においては、インデックス作成部は、図９に示すように、定期的に、例えば、１時間毎に、インデックス情報Ｒを求め、映像情報、音声情報と共に、記憶装置に記憶しておく。図９には、録画開始点０、点Ｓ、点Ｍ、及び点Ｎにおけるインデックス情報Ｒが記載されている。上記点０，点Ｓ及び点Ｍは、上述のように、任意の点、例えば、上記点Ｎの累積ビット数を求める際の基準点となる。基準となる所定の画面領域として、上記点０，点Ｓ及び点Ｍを選択したが、他の点を選択することも可能である。
【００３８】
この実施例のブックマーク管理部のブックマーク作成部は、Ｎ点の録画実時刻、すなわち、ブックマークＴＮを作成する場合、下式を演算する。
ＴＮ＝ＴＭ＋〔ＤＮ−ＤＭ〕/BitRate      （７）
ここで、/BitRateとは、情報の送信速度を示す。また、ＴＭは、上記基準点Ｍにおける録画実時刻である。なお、上記基準点Ｍは、図９に示すように、点Ｎに最も近い基準点とする。また、ＤＮは、録画開始点０から点Ｎまでの累積ビット数を示し、ＤＭは、録画開始点０から基準点Ｍまでの累積ビット数を示す。
上記ブックマーク管理部のブックマーク記憶部は、上記ブックマークＴＮを記憶する。
アクセス制御部は、上記ブックマークに基づき、タイムシフトして、見たい場面にジャンプするために、この見たい場面のアドレスを検出する。このアクセス制御部の演算部は、上記見たい場面に該当する上記累積ビット数を作成するため、上記式（７）を変換した下式（８）を演算することにより、Ｎ点の累積ビット数を求める。
ＤＮ＝ＤＭ＋（ＴＮ―ＴＭ）×BitRate        (８)
なお、アクセス制御部の物理アドレス変換部が上記累積ビット数から物理アドレスをもとめる動作については、上述した第３実施例と同様であるため、その説明は省略する。
また、一方の視聴者が作成したブックマークＴＮを他方の視聴者に伝えることにより、一方の視聴者が見たい場面を、他方の視聴者も視聴することができ、一方の視聴者が見たい場面を、他方の視聴者と共有することができる点については第１実施例と同様のため、その説明については省略する。
【００３９】
次に、図９を参照して、この例の動作について説明する。
先ず、録画時において、基準点０，Ｓ、Ｍのインデックス情報は、インデックス作成部によって演算され、映像情報等と共に、記憶される。
この状態において、点Ｎにおけるブックマークを作成する場合、ブックマーク作成部は、上記式（７）を演算する。このブックマークは、ブックマーク記憶部に記憶される。
その後、ユーザが、録画された画像をタイムシフトして再生する場合、上記ブックマークに該当する、見たい場面にジャンプして再生する。この際、アクセス制御部は、上記ブックマークに該当する累積ビット数ＤＮを求め、かつ、この累積ビット数ＤＮに該当する物理アドレスを求めることにより、上記見たい場面を検索する。そして、この見たい場面以降の画像情報は、伸張装置において伸張処理された後、Ｄ/Ａ変換装置においてアナログ映像信号及びアナログ音声信号に変換された後、出力装置を経て再生される。また、一方の視聴者が作成したブックマークＴＮを他方の視聴者に伝えることにより、一方の視聴者が見たい場面を、他方の視聴者も視聴することができ、一方の視聴者が見たい場面を、他方の視聴者と共有することができる点については第１実施例と同様のため、その説明については省略する。
この実施例においては、第３実施例と比較して、基準となる複数の点の累積ビット数と、その点の録画時間を予め求めて記憶しておき、任意の点のブックマークは、最も近い基準点を基準として求められるため、ブックマークを求める際の誤差を可及的に減らすことができる。
【実施例５】
【００４０】
次に、この発明の第５実施例について説明する。
図１０は、この第５実施例の構成を示すブロック図、図１１は、同実施例における、累積フレーム数と録画実時刻との関係を示す図である。
この実施例のタイムシフト再生装置４０の特徴は、第３実施例のタイムシフト再生装置３０に比較して、累積ビット数を用いる代わりに、累積フレーム数を用いる点にある。なお、第３実施例と同一構成要素には、同一符号を付して、その説明は省略する。
この例のタイムシフト再生装置４０は、第３実施例のタイムシフト再生装置３０に比較して、カウンタ回路３１の代わりに、符号解析回路４１を用いている。
【００４１】
上記符号解析回路４１は、図１１に示すように、録画開始点０から任意のＮ点までの記録情報の累積フレーム数ＦＮを計数して、出力する。この累積フレーム数ＦＮは、記録されている情報の位置を特定する位置情報としての機能を有する。
インデックス作成部４２は、上記録画開始点０から任意の点までの累積フレーム数とこの任意の点における録画実時刻とをインデックス化して、同図に示すように、インデックス情報Ｑとして出力する。
上記録画実時刻ＴＮと上記録画開始点０の録画実時刻Ｔ０と上記累積フレーム数ＦＮとは、下式（９）の関係を有するため、上記ブックマーク管理部４３のブックマーク作成部４４は、上記Ｎ点の録画実時刻即ち、ブックマークＴＮを作成する場合、下式（９）を演算する。
ＴＮ＝Ｔ０＋ＦＮ/framerate      （９）
ここで、framerateとは、情報の送信速度を示す。
上記ブックマーク管理部４３のブックマーク記憶部４５は、上記ブックマークＴＮを記憶する。
【００４２】
アクセス制御部４６は、上記ブックマークＴＮに基づき、タイムシフトして、見たい場面にジャンプするために、この見たい場面のアドレスを検出する。このアクセス制御部４６の演算部４７は、再生時に、上記見たい場面に該当する上記累積フレーム数を求めるため、上記式（９）を変換した下式（１０）を演算することにより、Ｎ点の累積フレーム数ＦＮを求める。
ＦＮ＝＋（ＴＮ−Ｔ０）×framerate        (１０)
上記アクセス制御部４６の物理アドレス変換部４８は、以下のようにして、上記累積フレーム数に該当する物理アドレスを求める。
すなわち、Ｎ点の累積フレーム数ＦＮの検索は、第１実施例において述べたファイルの先頭、すなわちファイルポインタが０に相当する物理アドレスから順次読み出すと共に、フレーム数をカウントすることにより、実現できる。このようにして、上記Ｎ点の物理アドレスは特定され、この物理アドレスにジャンプすることにより、見たい場面を再生できる。
【００４３】
次に、図１１を参照して、この実施例の動作について説明する。
図中、Ｎ点が見たい場面の録画開始点とする。この場合、Ｎ点におけ
るブックマークＴＮを作成するため、ブックマーク作成部４４は上記式（９）を演算する。このブックマークＴＮは、ブックマーク記憶部４５に記憶される。
その後、ユーザが、録画された画像をタイムシフトして再生する場合、
上記ブックマークＴＮに該当する、見たい場面にジャンプして再生する。この際、アクセス制御部４６は、上記ブックマークＴＮに該当する累積フレーム数ＦＮを求め、かつ、この累積フレーム数ＦＮに該当する物理アドレスを求めることにより、上記見たい場面を検索する。そして、この見たい場面以降の画像情報は、伸張装置８において伸張処理された後、Ｄ/Ａ変換装置１１においてアナログ映像信号及びアナログ音声信号に変換され、出力装置１２を経て再生される。なお、一方の視聴者が作成したブックマークＴＮを他方の視聴者に伝えることにより、一方の視聴者が見たい場面を、他方の視聴者も視聴することができ、一方の視聴者が見たい場面を、他方の視聴者と共有することができる点については第１実施例と同様のため、その説明については省略する。
【実施例６】
【００４４】
次に、この発明の第６実施例について説明する。
図１２は、この実施例の動作を説明する説明図である。
上述した第５実施例と比較してこの実施例の特徴は、録画開始点０から基準点としての複数の点Ｓ，Ｍ、...までの累積フレーム数と、その各基準点の録画時間を予め求めてインデックス情報Ｑとして記憶しておき、任意の点のブックマークは、最も近い基準点を基準として求められる点にある。
すなわち、この実施例においては、インデックス作成部は、同図に示すように、定期的に、例えば、１時間毎に、インデックス情報Ｑを求め、映像情報、音声情報と共に、記憶装置に記憶しておく。同図には、録画開始点０、点Ｓ、点Ｍ、及び点Ｎにおけるインデックス情報Ｑが記載されている。上記点０，点Ｓ及び点Ｍは、上述のように、任意の点、例えば、上記点Ｎの累積ビット数を求める際の基準点となる。基準となる所定の画面領域として、上記点０，点Ｓ及び点Ｍを選択したが、他の点を選択することも可能である。
【００４５】
この実施例のブックマーク管理部のブックマーク作成部は、Ｎ点の録画実時刻、すなわち、ブックマークＴＮを作成する場合、下式（１１）を演算する。
ＴＮ＝ＴＭ＋〔ＦＮ−ＦＭ〕/Framerate      （１１）
ここで、Framerateとは、情報の送信速度を示す。また、ＴＭは、上記基準点Ｍにおける録画実時刻である。なお、上記基準点Ｍは、図１２に示すように、点Ｎに最も近い基準点とする。また、ＦＮは、録画開始点０から点Ｎまでの累積フレーム数を示し、ＦＭは、録画開始点０から基準点Ｍまでの累積フレーム数を示す。
上記ブックマーク管理部のブックマーク記憶部は、上記ブックマークＴＮを記憶する。
アクセス制御部は、上記ブックマークに基づき、タイムシフトして、見たい場面にジャンプするために、この見たい場面のアドレスを検出する。このアクセス制御部の演算部は、上記見たい場面に該当する上記累積フレーム数を作成するため、上記式（１１）を変換した下式（１２）を演算することにより、Ｎ点の累積フレーム数を求める。
ＦＮ＝ＦＭ＋（ＴＮ−ＴＭ）×Framerate        (１２)
なお、アクセス制御部の物理アドレス変換部が上記累積フレーム数から物理アドレスをもとめる動作については、上述した第５実施例と同様であるため、その説明は省略する。
【００４６】
また、一方の視聴者が作成したブックマークＴＮを他方の視聴者に伝えることにより、一方の視聴者が見たい場面を、他方の視聴者も視聴することができ、一方の視聴者が見たい場面を、他方の視聴者と共有することができる点については第１実施例と同様のため、その説明については省略する。
【００４７】
次に、図１２を参照して、この実施例の動作について説明する。
先ず、録画時において、基準点０，Ｓ、Ｍのインデックス情報は、インデックス作成部によって演算され、映像情報等と共に、記憶される。
この状態において、点Ｎにおけるブックマークを作成する場合、ブックマーク作成部は、上記式（１１）を演算する。このブックマークは、ブックマーク記憶部に記憶される。
その後、ユーザが、録画された画像をタイムシフトして再生する場合、上記ブックマークに該当する、見たい場面にジャンプして再生する。この際、アクセス制御部は、上記ブックマークに該当する累積フレーム数ＦＮを求め、かつ、この累積フレーム数ＦＮに該当する物理アドレスを求めることにより、上記見たい場面を検索する。そして、この見たい場面以降の画像情報は、伸張装置において伸張処理された後、Ｄ/Ａ変換装置においてアナログ映像信号及びアナログ音声信号に変換され、出力装置を経て再生される。また、一方の視聴者が作成したブックマークＴＮを他方の視聴者に伝えることにより、一方の視聴者が見たい場面を、他方の視聴者も視聴することができ、一方の視聴者が見たい場面を、他方の視聴者と共有することができる点については第１実施例と同様のため、その説明については省略する。
この実施例においては、第５実施例と比較して、基準となる複数の点の累積フレーム数と、その点の録画時間を予め求めて記憶しておき、任意の点のブックマークは、最も近い基準点を基準として求められるため、ブックマークを求める際の誤差を可及的に減らすことができる。
【００４８】
以上、この発明の実施例を図面により詳述してきたが、具体的な構成はこの実施例に限られたものではなく、この発明の要旨を逸脱しない範囲の設計の変更等があってもこの発明に含まれる。例えば、上記の説明では、テレビジョン信号について説明したが、ビデオ信号、ＤＶＤ等であっても良い。また、複数のテレビジョン信号のうちからチャンネルによって一のテレビジョン信号を選択するようにしても良い。この場合、ブックマーク情報として、チャンネル情報を含ませることにより、任意の一のチャンネルを選択できる。さらに、動画は、異なった位置に設けられて同一対象を撮像する複数の撮像手段から供給されるようにしても良い。この場合も、ブックマーク情報として、一の撮像手段を選択する情報を含ませることにより、任意の一の撮像手段を選択できる。
また、上述の実施例においては、録画中の少なくともある瞬間場面として、録画開始点０、基準点Ｓ，Ｍを用いた場合について説明したが、これらの点に限らず、任意の点を用いることができる。
【図面の簡単な説明】
【００４９】
【図１】この発明の第１実施例の構成を示すブロック図である。
【図２】同実施例に用いられる記録情報の構成を示す図である。
【図３】同実施例に用いられるタイムコードと、物理アドレスとの関係を説明する図である。
【図４】同実施例に用いられる圧縮装置の構成を示すブロック図である。
【図５】同実施例のタイムコードの移転を説明する図である。
【図６】この発明の第２実施例における、複数の基準点のタイムコードと録画時刻との関係を示す図である。
【図７】この発明の第３実施例の構成を示すブロック図である。
【図８】同実施例における、累積ビット数と録画実時刻との関係を示す図である。
【図９】この発明の第４実施例における、累積ビット数と録画実時刻との関係を示す図である。
【図１０】この発明の第５実施例の構成を示すブロック図である。
【図１１】同実施例における、累積フレーム数と録画実時刻との関係を示す図である。
【図１２】この発明の第６実施例における、累積フレーム数と録画実時刻との関係を示す図である。
【図１３】従来例の構成を示すブロック図である。
【符号の説明】
【００５０】
１、３０、４０      タイムシフト再生装置
５      計時部（計時部）
７      記憶装置（記憶手段）
１０、３５、４６      アクセス制御部（アクセス手段）
１４      ブックマーク記憶部
【図１】
0004126565.tif 000002
【図２】
0004126565.tif 000003
【図３】
0004126565.tif 000004
【図４】
0004126565.tif 000005
【図５】
0004126565.tif 000006
【図６】
0004126565.tif 000007
【図７】
0004126565.tif 000008
【図８】
0004126565.tif 000009
【図９】
0004126565.tif 000010
【図１０】
0004126565.tif 000011
【図１１】
0004126565.tif 000012
【図１２】
0004126565.tif 000013
【図１３】
0004126565.tif 000014